(57)【要約】【課題】柱と梁とを容易かつ強固に接合できる柱と梁の接合部構造を提供することを目的とする。【解決手段】下階の柱１０の上面から突出する連結ボルト１１に外挿されるようにして、梁３０の端部が係合される梁受金物４０と、この梁受金物４０の下端側および上端側に配設される補強プレート５０，５０とが設けられており、上階の柱２０の下端部には連結ボルト１１の上端部に螺合するナット６１を有する結合金物６０が固定されており、ナット６１を締め付けることによって、梁３０の端部が、下階の柱１０と上階の柱２０との間に固定されていることを特徴とする柱と梁の接合部構造。これにより、下階の柱の上端部と上階の柱の下端部との間隔を狭めて、補強プレートを梁受金物側に強固に押し付けることができ、これら補強プレートによって梁の端部を上下から挟み込むことができる。【選択図】図１
2010106626.tif 000002
【特許請求の範囲】
【請求項１】
上面に、上方に向かって突出する連結ボルトが設けられる下階の柱と、下端部に、該連結ボルトと結合可能な箱状の結合金物が固定される上階の柱との間に梁受け手段を介在させ、この梁受け手段によって梁の端部を受けてなり、
前記結合金物は、少なくとも一方の側面が開放されるとともに、底壁に前記連結ボルトを挿通可能な挿通孔が形成される金物本体と、該挿通孔に挿通される前記連結ボルトの上端部に螺合するナットとを備えており、
前記梁受け手段は、前記連結ボルトを挿通可能な挿通孔が形成されて前記連結ボルトに外挿される胴部と、この胴部の側面に前記梁の配設方向に沿って突設されるとともに前記梁の端部が係合される被係合部とを有する梁受金物と、
この梁受金物の下端側および上端側にそれぞれ配設されるとともに、前記連結ボルトを挿通可能な挿通孔が形成されて前記連結ボルトに外挿され、さらに前記梁受金物の被係合部に係合される梁の端部の下面および上面に当接する補強プレートと、を備えており、
前記梁受金物の被係合部に係合する梁の端部は、前記梁受金物および双方の補強プレートを前記連結ボルトにそれぞれ外挿するとともに、該連結ボルトの上端部にナットを螺合して締め付けることによって、前記下階の柱と上階の柱との間に固定されていることを特徴とする柱と梁の接合部構造。
【請求項２】
請求項１に記載の柱と梁の接合部構造において、
前記補強プレートは、前記挿通孔が形成されるとともに、前記梁受金物と前記下階の柱および結合金物との間に挟み込まれる本体板部と、
この本体板部と一体形成されるとともに、この本体板部から前記被係合部の突設方向に沿って延出して前記梁の端部の下面および上面に当接する当接板部とを備えていることを特徴とする柱と梁の接合部構造。
【請求項３】
請求項２に記載の柱と梁の接合部構造において、
前記被係合部は、前記梁の端部の下面および上面に当接する双方の当接板部間の長さと略等しい高さに設定された板状体であり、
前記梁の端部には、前記被係合部が挿入されるスリットが形成されていることを特徴とする柱と梁の接合部構造。
【請求項４】
請求項２または３に記載の柱と梁の接合構造において、
前記梁の端部の上面および下面には、前記補強プレートの当接板部の厚さと略等しい切欠深さに設定されるとともに、この当接板部が係合する切欠部がそれぞれ形成されていることを特徴とする柱と梁の接合部構造。
【請求項５】
請求項１〜４のいずれか一項に記載の柱と梁の接合部構造において、
前記梁の端面には、前記梁受金物の胴部の形状に合わせて切欠部が形成されていることを特徴とする柱と梁の接合部構造。
【発明の詳細な説明】
【技術分野】
【０００１】
本発明は、下階の柱と上階の柱との間に梁受け手段を介在させ、この梁受け手段によって梁の端部を受けてなる柱と梁の接合部構造に関する。
【背景技術】
【０００２】
在来工法における柱と梁の接合は、例えば木材の接合部を切削加工した凹凸仕口によって行われていたが、近年では、例えば特許文献１に記載のような接合金物を用いた技術が提案されている。このような技術によれば、木材の接合部を切削加工する手間やコストを省きながら、柱と梁の接合部を強化して耐震強度を向上できるようになっている。
【特許文献１】特開２００２−０１３１９９号公報
【発明の開示】
【発明が解決しようとする課題】
【０００３】
ところで、例えば接合金物と柱、接合金物と梁とを接合するためのピンをより多く使用して、柱と梁の接合部をより強化したいという要望があるが、ピンが挿入される孔を多数形成したり、多数のピンを打ち込んだりする手間やコストが増加する場合があり、好ましくない。そこで、このように多くのピンを使用せずとも、柱と梁とを容易かつ強固に接合できる技術の開発が望まれていた。
【０００４】
本発明の課題は、柱と梁とを容易かつ強固に接合できる柱と梁の接合部構造を提供することを目的とする。
【課題を解決するための手段】
【０００５】
請求項１に記載の発明は、柱と梁の接合部構造であって、例えば図１〜図３に示すように、上面に、上方に向かって突出する連結ボルト１１が設けられる下階の柱１０と、下端部に、該連結ボルト１１と結合可能な箱状の結合金物６０が固定される上階の柱２０との間に梁受け手段を介在させ、この梁受け手段によって梁３０（３０Ａ）の端部を受けてなり、
前記結合金物６０は、少なくとも一方の側面が開放されるとともに、底壁６５に前記連結ボルト１１を挿通可能な挿通孔６５ａが形成される金物本体６２と、該挿通孔６５ａに挿通される前記連結ボルト１１の上端部に螺合するナット６１とを備えており、
前記梁受け手段は、前記連結ボルト１１を挿通可能な挿通孔４１ａが形成されて前記連結ボルト１１に外挿される胴部４１と、この胴部４１の側面に前記梁３０（３０Ａ）の配設方向に沿って突設されるとともに前記梁３０（３０Ａ）の端部が係合される被係合部４２（４２Ａ）とを有する梁受金物４０（４０Ａ）と、
この梁受金物４０（４０Ａ）の下端側および上端側にそれぞれ配設されるとともに、前記連結ボルト１１を挿通可能な挿通孔５１ａが形成されて前記連結ボルト１１に外挿され、さらに前記梁受金物４０（４０Ａ）の被係合部４２（４２Ａ）に係合される梁３０（３０Ａ）の端部の下面および上面に当接する補強プレート５０，５０（５０Ａ，５０Ａ）と、を備えており、
前記梁受金物４０（４０Ａ）の被係合部４２（４２Ａ）に係合する梁３０（３０Ａ）の端部は、前記梁受金物４０（４０Ａ）および双方の補強プレート５０，５０（５０Ａ，５０Ａ）を前記連結ボルト１１にそれぞれ外挿するとともに、該連結ボルト１１の上端部にナット６１を螺合して締め付けることによって、前記下階の柱１０と上階の柱２０との間に固定されていることを特徴とする。
【０００６】
請求項１に記載の発明によれば、前記補強プレート５０，５０（５０Ａ，５０Ａ）が、前記梁受金物４０（４０Ａ）の下端側および上端側にそれぞれ配設されており、前記下階の柱１０の上端部と前記上階の柱２０の下端部との間隔は、前記連結ボルト１１に螺合したナット６１を締め付けることによって狭めることが可能となっているので、このナット６１を前記連結ボルト１１の上端部に螺合して締め付けることで、前記補強プレート５０，５０（５０Ａ，５０Ａ）を前記梁受金物４０（４０Ａ）側に強固に押し付けることができる。
そして、このように前記梁受金物４０（４０Ａ）側に強固に押し付けられる前記補強プレート５０，５０（５０Ａ，５０Ａ）は、前記梁３０（３０Ａ）の端部の下面および上面に当接しているので、これら補強プレート５０，５０（５０Ａ，５０Ａ）によって前記梁３０（３０Ａ）の端部を上下から挟み込むことができる。
これによって、前記梁３０（３０Ａ）の端部を、前記下階の柱１０と上階の柱２０との間に強固に固定することができるので、これら下階の柱１０と上階の柱２０と梁３０（３０Ａ）とを強固に接合することができる。また、このように前記ナット６１を前記連結ボルト１１の上端部に螺合して締め付けるだけで、前記梁３０（３０Ａ）の端部を、前記下階の柱１０と上階の柱２０との間に強固に固定することができるので、これら下階の柱１０と上階の柱２０と梁３０（３０Ａ）とを容易に接合することが可能となる。
【０００７】
また、前記梁受金物４０（４０Ａ）の胴部４１と、前記補強プレート５０，５０（５０Ａ，５０Ａ）と、前記結合金物６０の底壁６５とに、前記連結ボルト１１を挿通可能な挿通孔４１ａ，５１ａ，６５ａがそれぞれ形成されており、前記梁受金物４０（４０Ａ）の胴部４１と、前記補強プレート５０，５０（５０Ａ，５０Ａ）と、前記結合金物６０の底壁６５とは、前記挿通孔４１ａ，５１ａ，６５ａに前記連結ボルト１１を挿通させるようにして該連結ボルト１１に外挿されているので、前記梁受金物４０（４０Ａ）と補強プレート５０，５０（５０Ａ，５０Ａ）と結合金物６０とを、前記連結ボルト１１に沿ってずれなく配置することができる。
【０００８】
また、前記箱状の結合金物６０は、少なくとも一方の側面が開放されるとともに、底壁６５に前記連結ボルト１１を挿通可能な挿通孔６５ａが形成される金物本体６２と、前記ナット６１とを備えているので、前記連結ボルト１１を前記挿通孔６５ａに挿通させ、この連結ボルト１１の上端部に前記ナット６１を螺合させる際に、前記結合金物６０の一方の側面の開放された部分から工具や手を差し入れることができ、前記ナット６１の締め付けができるので、前記ナット６１を容易かつ確実に締め付けることができる。
【０００９】
請求項２に記載の発明は、例えば図１および図２に示すように、請求項１に記載の柱と梁の接合部構造において、
前記補強プレート５０，５０（５０Ａ，５０Ａ）は、前記挿通孔５１ａが形成されるとともに、前記梁受金物４０（４０Ａ）と前記下階の柱１０および結合金物６０との間に挟み込まれる本体板部５１と、
この本体板部５１と一体形成されるとともに、この本体板部５１から前記被係合部４２（４２Ａ）の突設方向に沿って延出して前記梁３０（３０Ａ）の端部の下面および上面に当接する当接板部５２とを備えていることを特徴とする。
【００１０】
請求項２に記載の発明によれば、前記補強プレート５０，５０（５０Ａ，５０Ａ）は、前記挿通孔５１ａが形成されるとともに、前記梁受金物４０（４０Ａ）と前記下階の柱１０および結合金物６０との間に挟み込まれる本体板部５１と、この本体板部５１と一体形成されるとともに、この本体板部５１から前記被係合部４２（４２Ａ）の突設方向に沿って延出して前記梁３０（３０Ａ）の端部の下面および上面に当接する当接板部５２とを備えているので、前記本体板部５１を前記梁受金物４０（４０Ａ）と前記下階の柱１０および結合金物６０との間に挟み込んだ状態で、前記ナット６１を締め付けることによって、前記当接板部５２によって前記梁３０（３０Ａ）の端部を上下から強固に挟み込むことができる。
【００１１】
請求項３に記載の発明は、例えば図１および図２に示すように、請求項２に記載の柱と梁の接合部構造において、
前記被係合部４２（４２Ａ）は、前記梁３０（３０Ａ）の端部の下面および上面に当接する双方の当接板部５２，５２間の長さと略等しい高さに設定された板状体であり、
前記梁３０（３０Ａ）の端部には、前記被係合部４２（４２Ａ）が挿入されるスリット３１が形成されていることを特徴とする。
【００１２】
請求項３に記載の発明によれば、前記板状の被係合部４２（４２Ａ）は、前記梁３０（３０Ａ）の端部の下面および上面に当接する双方の当接板部５２，５２間の長さと略等しい高さに設定されているので、前記当接板部５２，５２が、前記梁受金物４０（４０Ａ）側に強固に押し付けられることで、前記当接板部５２，５２と前記被係合部４２（４２Ａ）、延いては梁受金物４０（４０Ａ）と補強プレート５０，５０（５０Ａ，５０Ａ）との一体感が増すこととなる。
したがって、前記梁３０（３０Ａ）の端部を、前記被係合部４２（４２Ａ）を前記梁３０（３０Ａ）の端部に形成されたスリット３１に挿入するようにして前記梁受金物４０（４０Ａ）に係合させるとともに、該梁３０（３０Ａ）の端部を、前記当接板部５２，５２によって上下から強固に挟み込むことで、前記梁受金物４０（４０Ａ）および補強プレート５０，５０（５０Ａ，５０Ａ）を介して、前記下階の柱１０と上階の柱２０と梁３０（３０Ａ）との一体感が増すこととなる。
これによって、前記下階の柱１０や上階の柱２０、梁３０（３０Ａ）等に加わる変形力を効果的に分散させることができるので、耐震性に優れる。
【００１３】
請求項４に記載の発明は、例えば図１および図２に示すように、請求項２または３に記載の柱と梁の接合構造において、
前記梁３０（３０Ａ）の端部の上面および下面には、前記補強プレート５０，５０（５０Ａ，５０Ａ）の当接板部５２，５２の厚さと略等しい切欠深さに設定されるとともに、この当接板部５２，５２が係合する切欠部３２，３２がそれぞれ形成されていることを特徴とする。
【００１４】
請求項４に記載の発明によれば、前記梁３０（３０Ａ）の端部の上面および下面には、前記補強プレート５０，５０（５０Ａ，５０Ａ）の当接板部５２，５２の厚さと略等しい切欠深さに設定されるとともに、この当接板部５２，５２が係合する切欠部３２，３２がそれぞれ形成されているので、この当接板部５２，５２の上面と、この当接板部５２，５２が係合しない部分の梁３０（３０Ａ）の下面および上面とが略面一となる。
これによって、前記下階の柱１０と上階の柱２０と梁３０（３０Ａ）との接合部付近に段差を形成することなく、これら下階の柱１０と上階の柱２０と梁３０（３０Ａ）とを接合することができるので、例えば床梁や床パネル、天井梁等を設ける際に段差の有無を考慮する必要が無く、施工しやすい。
【００１５】
請求項５に記載の発明は、例えば図１および図２に示すように、請求項１〜４のいずれか一項に記載の柱と梁の接合部構造において、
前記梁３０（３０Ａ）の端面には、前記梁受金物４０（４０Ａ）の胴部４１の形状に合わせて切欠部３３（３３Ａ）が形成されていることを特徴とする。
【００１６】
請求項５に記載の発明によれば、前記梁３０（３０Ａ）の端面には、前記梁受金物４０（４０Ａ）の胴部４１の形状に合わせて切欠部３３（３３Ａ）が形成されているので、この切欠部３３（３３Ａ）を前記胴部４１に当てはめるようにして前記梁３０（３０Ａ）の端部を前記梁受金物４０（４０Ａ）の被係合部４２（４２Ａ）に係合させることができ、前記下階の柱１０と上階の柱２０と梁３０（３０Ａ）との接合部における納まりが良好なものとなる。
また、複数の梁３０（３０Ａ）が前記梁受金物４０（４０Ａ）を介して交差する場合は、前記複数の梁３０（３０Ａ）の端面にそれぞれ形成される切欠部３３（３３Ａ）内に前記梁受金物４０（４０Ａ）の胴部４１を納めることができるので、前記下階の柱１０と上階の柱２０と梁３０（３０Ａ）との接合部における納まりがさらに良好なものとなる。そして、このように複数の梁３０（３０Ａ）の切欠部３３（３３Ａ）内に前記胴部４１を納めることによって、前記梁受金物４０（４０Ａ）自体を前記複数の梁３０（３０Ａ）によって隠すことができるので、外観性に優れる。
【発明の効果】
【００１７】
本発明によれば、連結ボルトを挿通可能な挿通孔が形成されて連結ボルトに外挿され、さらに梁受金物の被係合部に係合される梁の端部の下面および上面に当接する補強プレートが、梁受金物の下端側および上端側にそれぞれ配設されており、下階の柱の上端部と上階の柱の下端部との間隔が、連結ボルトに螺合したナットを締め付けることによって狭めることが可能となっているので、このナットを連結ボルトの上端部に螺合して締め付けることで、補強プレートを梁受金物側に強固に押し付けることができる。
そして、このように梁受金物側に強固に押し付けられる補強プレートは、梁の端部の下面および上面に当接しているので、これら補強プレートによって梁の端部を上下から挟み込むことができる。
これによって、梁の端部を、下階の柱と上階の柱との間に強固に固定することができるので、これら下階の柱と上階の柱と梁とを強固に接合することができる。また、このようにナットを連結ボルトの上端部に螺合して締め付けるだけで、梁の端部を、下階の柱と上階の柱との間に強固に固定することができるので、これら下階の柱と上階の柱と梁とを容易に接合することが可能となる。
【発明を実施するための最良の形態】
【００１８】
以下、図面を参照して本発明の実施の形態について説明する。
【００１９】
（第１の実施の形態）
本実施の形態の柱と梁の接合部構造は、図１および図３に示すように、上面に、上方に向かって突出する連結ボルト１１が設けられる下階の柱１０と、下端部に、該連結ボルト１１と結合可能な箱状の結合金物６０が固定される上階の柱２０との間に梁受け手段を介在させ、この梁受け手段によって梁３０の端部を受けてなるものである。
なお、本実施の形態においては、２本の梁３０が用いられており、これら２本の梁３０が、前記梁受け手段を介して、互いに直交する方向に配設されている。すなわち、本実施の形態の柱と梁の接合部構造は、建物躯体のコーナー部に適用されるものである。
【００２０】
また、前記結合金物６０は、少なくとも一方の側面が開放されるとともに、底壁６５に前記連結ボルト１１を挿通可能な挿通孔６５ａが形成される金物本体６２と、該挿通孔６５ａに挿通される前記連結ボルト１１の上端部に螺合するナット６１とを備えている。
また、前記梁受け手段は、前記連結ボルト１１を挿通可能な挿通孔４１ａが形成されて前記連結ボルト１１に外挿される胴部４１と、この胴部４１の側面に前記梁３０の配設方向に沿って突設されるとともに前記梁３０の端部が係合される被係合部４２とを有する梁受金物４０と、この梁受金物４０の下端側および上端側にそれぞれ配設されるとともに、前記連結ボルト１１を挿通可能な挿通孔５１ａが形成されて前記連結ボルト１１に外挿され、さらに前記梁受金物４０の被係合部４２に係合される梁３０の端部の下面および上面に当接する補強プレート５０，５０と、を備えている。
【００２１】
そして、前記梁受金物４０の被係合部４２に係合する梁３０の端部は、前記梁受金物４０および双方の補強プレート５０，５０を前記連結ボルト１１にそれぞれ外挿するとともに、該連結ボルト１１の上端部にナット６１を螺合して締め付けることによって、前記下階の柱１０と上階の柱２０との間に固定されている。
【００２２】
ここで、前記下階の柱１０は、基礎１上に、この基礎１の内側と外側との換気を行うための換気台輪２を介して設けられた床パネル３の上に立設されるものであり、この下階の柱１０の下端部には、前記上階の柱２０と同様に箱状の結合金物６０が固定されて、この結合金物を介して前記床パネル３上に強固に固定されて安定的に立設されている。
すなわち、この下階の柱１０の下端部に固定された結合金物６０は、前記基礎１の上面から、前記換気台輪２および床パネル３を介して突出するアンカーボルト１ａの上端部に螺合するナット６１を備えている。
【００２３】
また、前記上階の柱２０は、前記下階の柱１０と同質の角柱材であり、その下端部には上述のような前記結合金物６０が固定されている。
【００２４】
これら下階の柱１０および上階の柱２０の下端部に固定される結合金物６０は、図３に示すように、前記連結ボルト１１およびアンカーボルト１ａの上端に螺合するナット６１を備えるとともに、互いに対向する側壁６３，６３と、これら側壁６３，６３の上端部間に架け渡されるようにして該側壁６３，６３と一体形成されるとともに挿通孔６４ａが形成される上壁６４と、前記側壁６３，６３の下端部間に架け渡されるようにして該側壁６３，６３と一体形成されるとともに前記連結ボルト１１およびアンカーボルト１ａを挿通可能な挿通孔６５ａが形成される底壁６５とを有する金物本体６２を備えている。
なお、本実施の形態においては、前記挿通孔６４ａ，６５ａにネジ溝が形成されていない状態となっており、単に各ボルトを通すだけの構成としている。
【００２５】
また、前記上壁６４に形成される挿通孔６４ａには、前記下階の柱１０および上階の柱２０の下面から下方に突出する固定ボルト１４，２１が挿通される。
そして、前記連結ボルト１１およびアンカーボルト１ａの上端部は前記底壁６５の挿通孔６５ａに挿通されて前記金物本体６２内に突出しており、前記固定ボルト１４，２１の下端部は前記上壁６４の挿通孔６４ａに挿通されて前記金物本体６２内に突出している。
【００２６】
このように突出する前記連結ボルト１１およびアンカーボルト１ａの上端部と、前記固定ボルト１４，２１の下端部に、前記ナット６１が螺合することとなる。
なお、このナット６１は、前記上壁６４および底壁６５との間に座金６１ａを介して前記連結ボルト１１およびアンカーボルト１ａの上端部と、前記固定ボルト１４，２１の下端部に螺合している。
【００２７】
なお、前記固定ボルト１４，２１は、前記下階の柱１０および上階の柱２０の下端面から上方に延びるとともに、これら柱１０，２０と略同軸に形成される柱孔（図示せず）に挿入固定されるものである。
また、前記固定ボルト１４，２１は、前記固定ボルト１４，２１の直径を、柱孔の内径より小さくして、これら固定ボルト１４，２１と柱孔の内壁との間に隙間（図示せず）を形成し、この隙間に、例えばエポキシ系接着剤やウレタン系接着剤を充填することによって、前記下階の柱１０および上階の柱２０にそれぞれ固定されている。
【００２８】
さらに、この金物本体６２には、前記側壁６３，６３が設けられていない部位の少なくとも一方の側面が開放されており（開口部６６）、これによって、前記連結ボルト１１およびアンカーボルト１ａを前記挿通孔６５ａに、前記固定ボルト１４，２１を前記挿通孔６４ａに挿通させ、これらボルト１１，１ａ，１４，２１の上端部に前記ナット６１を螺合させる際に、前記開口部６６から工具や手を差し入れることができ、前記ナット６１の締め付けができるので、前記ナット６１を容易かつ確実に締め付けることができる。
【００２９】
また、前記金物本体６２の上壁６４および底壁６５には、複数のビス孔６７が形成されている。すなわち、これら複数のビス孔６７を介して前記下階の柱１０の下端部および上階の柱２０の下端部にビスを打ち込むことによって、単に前記固定ボルト１４，２１とナット６１の締め付けだけで柱１０，２０と結合金物６０とを固定するよりも、さらに強固に固定できるので好ましい。
【００３０】
一方、前記下階の柱１０の上端部にも、この下階の柱１０の上端面から下方に延びるとともに、この柱１０と略同軸の柱孔（図示せず）が形成されている。そして、この柱孔には、上端部に高ナット１２が螺合する埋設ボルト１３が埋設されており、前記下階の柱１０の上端面には高ナット１２の上面が露出した状態となっている。
つまり、下階の柱１０の上端部に形成される柱孔は、前記高ナット１２および埋設ボルト１３の形状に合わせて形成されている。なお、この柱孔は、前記下階の柱１０および上階の柱２０の下端面の柱孔と同じく、前記高ナット１２および埋設ボルト１３との間に隙間を形成し、この隙間に接着剤を充填する構成となっている。
【００３１】
そして、このように下階の柱１０の上端部に埋設された高ナット１２に対して、前記連結ボルト１１が螺合することによって、この連結ボルト１１が、前記下階の柱１０の上面から上方に向かって突出することとなる。
【００３２】
なお、本実施の形態の連結ボルト１１は、外周面の全面にわたってネジ山が形成される全ネジボルトが用いられているが、上端部および下端部のみにネジ山を有するようなものでもよく、適宜変更可能である。
【００３３】
また、前記梁受金物４０の胴部４１は、前記下階の柱１０の上面から突出する連結ボルト１１の露出部分の長さよりも短く設定されている。つまり、前記胴部４１の挿通孔４１２ａに前記連結ボルト１１を挿通させた際に、この連結ボルト１１の上端部が前記胴部４１の上端部よりも突出するように構成されている。
【００３４】
さらに、本実施の形態の胴部４１は四角柱状に形成されており、前記挿通孔４１ａは、この四角柱状に形成された胴部４１と略同軸に形成されている。
また、前記梁受金物４０を前記連結ボルト１１に外挿する際の実施形態は、前記挿通孔４１ａの内壁に、前記連結ボルト１１のネジ山にかみ合うネジ山を形成する構成としてもよいし、形成せずともよく、また、前記柱孔と同じく、この挿通孔４１ａと前記連結ボルト１１との間に隙間を形成し、この隙間に接着剤を充填する構成としてもよい。
【００３５】
また、図１に示すように、前記被係合部４２は板状体であり、この被係合部４２に対して前記梁３０の端部を係合する際に用いる引掛ピン４３が引っ掛けられる引掛部４２ａと、固定ピン４４が挿入されるピン挿通孔４２ｂとが形成されている。
前記引掛部４２ａは、前記被係合部４２の上端部に形成されており、前記ピン挿通孔４２ｂは、前記被係合部４２の突出方向側端部の近傍に上下に並んで形成されている。
【００３６】
このような被係合部４２に係合する前記梁３０の端部には、前記被係合部４２が挿入されるスリット３１が形成されている。このスリット３１は、前記梁３０の端面から長さ方向に沿って梁３０の中央側まで延びるとともに、該梁３０の端部の高さ方向に貫通するようにして形成されている。
【００３７】
また、この梁３０の端部には、前記被係合部４２に形成された引掛部４２ａおよびピン挿通孔４２ｂに対応するピン挿通孔３０ａ，３０ｂが、該梁３０の長さ方向と直交する横方向に沿って貫通するようにして形成されている。
【００３８】
さらに、前記梁３０の端面には、前記梁受金物４０の胴部４１の形状に合わせて切欠部３３が形成されている。
これによって、この切欠部３３を前記胴部４１に当てはめるようにして前記梁３０の端部を前記梁受金物４０の被係合部４２に係合させることができるので、前記下階の柱１０と上階の柱２０と梁３０との接合部における納まりが良好なものとなる。
【００３９】
また、本実施の形態のように複数の梁３０が前記梁受金物４０を介して交差する場合は、前記複数の梁３０の端面にそれぞれ形成される切欠部３３内に前記梁受金物４０の胴部４１を納めることができるので、前記下階の柱１０と上階の柱２０と梁３０との接合部における納まりがさらに良好なものとなる。そして、このように複数の梁３０の切欠部３３内に前記胴部４１を納めることによって、前記梁受金物４０自体を前記複数の梁３０によって隠すことができるので、外観性に優れる。
【００４０】
なお、本実施の形態においては、２本の梁３０が、前記梁受け手段を介して、互いに直交する方向に配設されているので、これら２本の梁３０の端部は、前記梁３０の長さ方向に沿うとともに鉛直方向に沿う側面に対して斜め４５度にカットされており、これら端部がカットされた２本の梁３０の端面どうしを当接させることで、これら２本の梁３０を互いに直交する方向に正確に配設できるようになっている。
【００４１】
また、前記切欠部３３は、これらカットされた２本の梁３０の端面に形成されており、四角柱状に形成された前記胴部４１が確実に嵌まるように、平面視において直角二等辺三角形に切り欠かれている。
【００４２】
一方、本実施の形態とは異なり、用いられる梁３０が１本の場合は、梁３０の端面に前記切欠部３３を形成しておくとともに、同じように端面に切欠部を形成した補助部材（図示せず）を用いるようにする。このような補助部材を用いることで、この補助部材の切欠部と前記梁３０の切欠部３３とが向かい合って形成される空間内に前記梁受金物４０の胴部４１を納めることができるようになっている。
【００４３】
なお、前記梁３０の端部を前記被係合部４２に係合させる際は、まず、前記引掛部４２ａに対応する前記梁３０のピン挿通孔３０ａに引掛ピン４３を挿入した状態で、この引掛ピン４３を前記被係合部４２の引掛部４２ａに引っ掛けるようにして前記梁３０を前記梁受金物４０に取り付けておく。
その後、対応する前記梁３０および被係合部４２のピン挿通孔３０ｂ，４２ｂに固定ピン４４を打ち込むことで、前記梁３０の端部を前記被係合部４２に係合させる。
【００４４】
一方、前記補強プレート５０は、前記挿通孔５１ａが形成されるとともに、前記梁受金物４０と前記下階の柱１０および結合金物６０との間に挟み込まれる本体板部５１と、  この本体板部５１と一体形成されるとともに、この本体板部５１から前記被係合部４２の突設方向に沿って延出して前記梁３０の端部の下面および上面に当接する当接板部５２とを備えている。
【００４５】
本実施の形態においては、上述のように、前記２本の梁３０が、前記梁受け手段を介して、互いに直交する方向に配設されているため、前記当接板部５２，５２は、前記本体板部５１の一方の辺側と、この一方の辺と直交する方向に隣接する他方の辺側とに位置していることとなり、平面視において略Ｌ字状に形成されている。すなわち、前記梁３０の配設方向に沿って延出することとなる。
【００４６】
そして、このように前記補強プレート５０，５０は、前記本体板部５１と当接板部５２とを備えているので、前記本体板部５１を前記梁受金物４０と前記下階の柱１０および結合金物６０との間に挟み込んだ状態で、前記ナット６１を締め付けることによって、前記当接板部５２によって前記梁３０の端部を上下から強固に挟み込むことができる。
【００４７】
なお、前記当接板部５２，５２の前記梁３０に当接する面に、例えば、前記梁３０の端部の下面および上面に引っ掛かる爪などを一体形成し、前記補強プレート５０，５０と前記梁３０との係合強度を高めるようにしてもよい。
【００４８】
また、前記梁３０の端部の上面および下面には、図１に示すように、前記補強プレート５０，５０の当接板部５２，５２の厚さと略等しい切欠深さに設定されるとともに、この当接板部５２，５２が係合する切欠部３２，３２がそれぞれ形成されている。
したがって、この当接板部５２，５２の上面と、この当接板部５２，５２が係合しない部分の梁３０の下面および上面とが略面一となる。
これによって、前記下階の柱１０と上階の柱２０と梁３０との接合部付近に段差を形成することなく、これら下階の柱１０と上階の柱２０と梁３０とを接合することができるので、例えば床梁や床パネル、天井梁等を設ける際に段差の有無を考慮する必要が無く、施工しやすい。
なお、この時、前記梁３０の端部に形成されるスリット３１も、前記切欠部３２，３２を介して梁３０の長さ方向中央側に向かって形成されている。
【００４９】
また、前記梁受金物４０の被係合部４２の高さは、これら当接板部５２，５２間の長さと略等しくなるように設定されている。
すなわち、本実施の形態においては、前記双方の切欠部３２，３２間の上下方向の長さと前記被係合部４２の高さも略等しいものとなるように設定されている。
【００５０】
これにより、前記当接板部５２，５２が、前記梁受金物４０側に強固に押し付けられることで、前記当接板部５２，５２と前記被係合部４２、延いては梁受金物４０と補強プレート５０，５０との一体感が増すこととなる。
したがって、前記梁３０の端部を、前記被係合部４２を前記梁３０の端部に形成されたスリット３１に挿入するようにして前記梁受金物４０に係合させるとともに、該梁３０の端部を、前記当接板部５２，５２によって上下から強固に挟み込むことで、前記梁受金物４０および補強プレート５０，５０を介して、前記下階の柱１０と上階の柱２０と梁３０との一体感が増すこととなる。
これによって、前記下階の柱１０や上階の柱２０、梁３０等に加わる変形力を効果的に分散させることができるので、耐震性に優れる。
【００５１】
なお、前記切欠部３２，３２よりも梁３０の長さ方向中央側に位置するスリット３１の部位における上下方向の長さは、梁３０の下面と上面との間の長さと等しく、前記被係合部４２の高さ寸法よりも長くなるように設定されている。
【００５２】
また、前記梁受金物４０の胴部４１と、前記補強プレート５０，５０と、前記結合金物６０の底壁６５とに、前記連結ボルト１１を挿通可能な挿通孔４１ａ，５１ａ，６５ａがそれぞれ形成されており、前記梁受金物４０の胴部４１と、前記補強プレート５０，５０と、前記結合金物６０の底壁６５とは、前記挿通孔４１ａ，５１ａ，６５ａに前記連結ボルト１１を挿通させるようにして該連結ボルト１１に外挿されているので、前記梁受金物４０と補強プレート５０，５０と結合金物６０とを、前記連結ボルト１１に沿ってずれなく配置できるようになっている。
【００５３】
次に、以上のような構成の柱と梁の接合部構造において前記下階の柱１０と上階の柱２０と梁３０とを接合する際の手順および各部の動作について説明する。
【００５４】
すなわち、まず、前記床パネル３上に、前記アンカーボルト１ａおよび結合金物６０を結合するようにして下階の柱１０を立設する。
この時、この下階の柱１０の上端部に、前記連結ボルト１１を予め設けておくようにしても良い。少なくとも、現場での手間の省略や工期を短くするために、下階の柱１０の上端部に前記高ナット１２および埋設ボルト１３を埋設しておくようにしておくことが好ましい。
【００５５】
続いて、前記下階の柱１０の上面から突出する前記連結ボルト１１に対して、前記梁３０の端部の下面に当接する補強プレート５０を外挿し、その上から、前記梁受金物４０を前記連結ボルト１１に外挿する。
この時、これら梁受金物４０の被係合部および前記補強プレート５０の当接板部５２を、前記梁３０が配設されるべき方向に向けておく。
【００５６】
続いて、上述のように、前記引掛ピン４３および固定ピン４４等を用いて、前記梁３０を前記梁受金物４０に係合させる。
そして、このように梁３０が係合した状態の梁受金物４０の上から、前記梁３０の端部の上面に当接する補強プレート５０を外挿する。
【００５７】
続いて、前記上階の柱２０の下端部に固定された結合金物６０の底壁６５の挿通孔６５ａを前記連結ボルト１１に挿通するようにして、この結合金物６０を前記連結ボルト１１に対して外挿する。すなわち、この時、梁受け手段の上部に前記上階の柱２０が立設されることとなる。
続いて、前記結合金物６０の底壁６５の挿通孔６５ａに挿通された連結ボルト１１の上端部に、前記座金６１ａを介してナット６１を螺合する。
【００５８】
そして、前記連結ボルト１１の上端部に螺合するナット６１を締め付けることによって、このナット６１は前記連結ボルト１１の長さ方向のか方に向かって進むこととなる。前記下階の柱１０の上端部と前記上階の柱２０の下端部との間隔を狭めることができる。
したがって、前記連結ボルト１１に外挿された前記梁受金物４０と補強プレート５０と結合金物６０とが、前記ナット６１と高ナット１２との間、つまり前記下階の柱１０と上階の柱２０との間に強固に挟み込まれることとなる。
すなわち、前記ナット６１を、前記連結ボルト１１の上端部に螺合して締め付けることで、前記補強プレート５０，５０を、前記梁受金物４０側に強固に押し付けることができる。
【００５９】
そして、本実施の形態によれば、このように前記梁受金物４０側に強固に押し付けられる前記補強プレート５０，５０が、前記梁３０の端部の下面および上面に当接しているので、これら補強プレート５０，５０によって前記梁３０の端部を上下から挟み込むことができる。
これによって、前記梁３０の端部を、前記下階の柱１０と上階の柱２０との間に強固に固定することができるので、これら下階の柱１０と上階の柱２０と梁３０とを強固に接合することができる。また、このように前記ナット６１を前記連結ボルト１１の上端部に螺合して締め付けるだけで、前記梁３０の端部を、前記下階の柱１０と上階の柱２０との間に強固に固定することができるので、これら下階の柱１０と上階の柱２０と梁３０とを容易に接合することが可能となる。
【００６０】
（第２の実施の形態）
次に、図面を参照して本発明の第２の実施の形態について説明する。なお、説明の便宜上、上述した第１の実施の形態とは異なる構成部分のみについて説明する。
【００６１】
本実施の形態の柱と梁の接合部構造は、図２に示すように、２本の梁３０Ａが用いられており、これら２本の梁３０Ａが、前記梁受け手段を介して、同一直線上に配設されている。すなわち、本実施の形態の柱と梁の接合部構造は、建物躯体のコーナー部ではない直線部に適用されるものである。
【００６２】
本実施の形態の梁受け手段は、前記連結ボルト１１を挿通可能な挿通孔４１ａが形成されて前記連結ボルト１１に外挿される胴部４１と、この胴部４１の側面に前記梁３０Ａの配設方向に沿って突設されるとともに前記梁３０Ａの端部が係合される被係合部４２Ａとを有する梁受金物４０Ａと、この梁受金物４０Ａの下端側および上端側にそれぞれ配設されるとともに、前記連結ボルト１１を挿通可能な挿通孔５１ａが形成されて前記連結ボルト１１に外挿され、さらに前記梁受金物４０Ａの被係合部４２Ａに係合される梁３０Ａの端部の下面および上面に当接する補強プレート５０Ａ，５０Ａと、を備えている。
【００６３】
ここで、前記２本の梁３０Ａの端部、前記梁３０Ａの長さ方向に沿うとともに鉛直方向に沿う側面に対して９０度に形成されたものであり、これら２本の梁３０Ａの端面どうしを当接させることで、これら２本の梁３０Ａを同一直線上に正確に配設できるようになっている。
【００６４】
さらに、前記梁３０Ａの端面には、前記梁受金物４０Ａの胴部４１の形状に合わせて切欠部３３Ａが形成されている。この切欠部３３Ａは、四角柱状に形成された前記胴部４１が確実に嵌まるように、平面視において凹状に切り欠かれている。
【００６５】
一方、前記梁受金物４０Ａの被係合部４２Ａは、上述のように前記２本の梁３０Ａが、前記梁受け手段を介して、同一直線上に配設されているため、前記胴部４１から前記梁３０Ａの配設方向に沿って、互いに反対方向に突出するようにして設けられている。
【００６６】
また、前記補強プレート５０Ａ，５０Ａの当接板部５２，５２も、上述のように前記２本の梁３０Ａが、前記梁受け手段を介して、同一直線上に配設されているため、前記本体板部５１の一方の辺側と、この一方の辺と平行な他方の辺側とに位置していることとなり、平面視において矩形状に形成されている。すなわち、前記梁３０の配設方向に沿って延出することとなる。
【００６７】
このようにして前記梁３０Ａと梁受金物４０Ａと補強プレート５０Ａとが、前記２本の梁３０Ａを同一直線上に正確に配設できるように構成されているので、第１の実施の形態と同じく、前記梁３０Ａの端部を、下階の柱１０と上階の柱２０との間に強固に固定することができ、これら下階の柱１０と上階の柱２０と梁３０Ａとを強固に接合することができる。また、ナット６１を連結ボルト１１の上端部に螺合して締め付けるだけで、前記梁３０Ａの端部を、前記下階の柱１０と上階の柱２０との間に強固に固定することができるので、これら下階の柱１０と上階の柱２０と梁３０Ａとを容易に接合することが可能となる。
【００６８】
なお、第１の実施の形態および第２の実施の形態においては、２本の梁３０，３０Ａを用いるものとしたが、これに限られるものではなく、例えば梁３０，３０ＡをＴ字状に配設するために３本の梁３０，３０Ａを用いるものとしたり、十字状に配設するために４本の梁３０，３０Ａを用いるものとしたり、適宜変更可能である。
これに伴って、前記梁３０，３０Ａの端部の形状や、前記梁受金物４０，４０Ａの構成や、前記補強プレート５０，５０Ａの構成も適宜変更する。
【図面の簡単な説明】
【００６９】
【図１】本発明の柱と梁の接合部構造の実施の形態を示す斜視図である。
【図２】本発明の柱と梁の接合部構造の他の実施の形態を示す斜視図である。
【図３】結合金物を示す斜視図である。
【符号の説明】
【００７０】
１０  下階の柱
１１  連結ボルト
２０  上階の柱
３０  梁
４０  梁受金物
５０  補強プレート
６０  結合金物
６１  ナット
【図１】
2010106626.tif 000003
【図２】
2010106626.tif 000004
【図３】
2010106626.tif 000005